(57)【特許請求の範囲】
【請求項１】
スピーカボックス本体を角度調整自在に保持するスピーカスタンドと、
前記スピーカスタンドを係合保持するスピーカブラケットとからなり、
前記スピーカスタンドは、平板状に形成されて下面が略水平な載置面を形成するスタンドプレートと、このスタンドプレートに角度調整自在に設けられ前記スピーカボックス本体が固定されるスピーカ取付部材とを備え、前記スピーカブラケットから前記スタンドプレートを外した状態では前記載置面で前記スピーカボックス本体を保持するとともに、前記スピーカブラケットに装着した状態では前記スタンドプレートが当該ブラケットに係合保持されることで前記スピーカボックス本体を保持することを特徴とするスピーカ取付装置。
【発明の詳細な説明】
【０００１】
【発明の属する技術分野】
本発明は、パーソナルコンピュータのモニター等に外付けされるスピーカに用いられるスピーカ取付装置に関する。
【０００２】
【従来の技術】
近年、高度な情報社会の進展に伴いパーソナルコンピュータ（以下、ＰＣという）のハード、ソフト面での性能アップも著しく、文字、数字、図形、動画、音声の各情報の表現および統合利用を行うマルチメディア対応のＰＣが普及している。特に、音声情報についていえば、音量、音質の向上が要求されている。そのため、ＰＣのモニター（ディスプレイ）に内蔵のスピーカに加えて外付けのスピーカシステムを接続可能にしたものが普及しつつある。例えば、アンプ出力が左右合計で１５Ｗで、迫力のある重低音と立体的な音を再生することができるスピーカシステムの接続を可能にしている。
【０００３】
このようなスピーカを外付けする態様としては、▲１▼テーブル上にスピーカを直接設置する、▲２▼テーブル上にブラケットを介して設置する、▲３▼モニターにブラケットを介して取付ける、▲４▼ブラケットに支持アームを設け、この支持アームをモニターに接続する、の４つの態様が考えられる。ブラケットを使用する場合は、上記▲２▼〜▲４▼の態様の何れにも共通に用いられるものであることが好ましく、そのため通常Ｌ字状に形成されたものが一般的である。
【０００４】
図７（ａ）、（ｂ）は従来のブラケットを用いてモニターに外付けする場合のスピーカ取付構造を示す図である。同図において、１はＰＣ、２はモニター（ＣＲＴ）、３はスピーカ、４はブラケットである。スピーカ３を取付ける場合、ブラケット４を上下反転させて逆Ｌ字状とし、モニター２の上側角部に掛け止め、両面粘着テープ５によって固定する。スピーカ３は、裏面側に設けた弾性を有する係合片６をブラケット４の係合孔７に差込むことによりブラケット４に着脱自在に取付けられる。ただし、角度調整は構造上不能である。
【０００５】
【発明が解決しようとする課題】
上記したように、従来のスピーカ取付構造はスピーカ３をブラケット４に対して係合片６と係合孔７との係合によって直接固定しているので、スピーカ３の取付角度を自由に変えることができないという問題があった。
【０００６】
角度調整可能なスピーカとしては、例えばサテライトスピーカと呼ばれるものが知られている。しかし、このスピーカ３は図８に示すように角度調整自在のスピーカスタンド８に取付けられ、テーブル９上に設置されるもので、上記したブラケット４には取付けることができなかった。
【０００７】
本発明は上記した従来の問題を解決するためになされたもので、その目的とするところは、モニター等の情報機器に対して角度調整自在に取付けることができるようにするとともに、取付け、取外しが容易で安定かつ確実な取付けを可能にしたスピーカ取付装置を提供することにある。
【０００８】
【課題を解決するための手段】
上記目的を達成するために本発明は、スピーカボックス本体を角度調整自在に保持するスピーカスタンドと、前記スピーカスタンドを係合保持するスピーカブラケットとからなり、  前記スピーカスタンドは、平板状に形成されて下面が略水平な載置面を形成するスタンドプレートと、このスタンドプレートに角度調整自在に設けられ前記スピーカボックス本体が固定されるスピーカ取付部材とを備え、前記スピーカブラケットから前記スタンドプレートを外した状態では前記載置面で前記スピーカボックス本体を保持するとともに、前記スピーカブラケットに装着した状態では前記スタンドプレートが当該ブラケットに係合保持されることで前記スピーカボックス本体を保持することを特徴とするものである。
【０００９】
本発明において、スピーカスタンドの使用形態としてはスピーカブラケットに装着された使用形態と、ブラケットから取り外された使用形態の２態様が可能である。スピーカスタンドはスピーカを角度調整自在に保持する。スピーカブラケットはスピーカスタンドを着脱自在に保持する。スピーカをＰＣのモニターに外付けして用いるときは、スピーカブラケットが電気機器の上側角部に掛け止めされ、両面粘着テープ等によって固定される。スピーカをテーブル上に設置して用いるときは、スピーカスタンドがスピーカブラケットから取外され、テーブル上に載置され、水平な載置面でスピーカボックス本体を支持する。
【００１０】
【発明の実施の形態】
以下、本発明を図面に示す実施の形態に基づいて詳細に説明する。
図１（ａ）、（ｂ）は本発明に係るスピーカ取付装置を用いてスピーカをモニターの側面に取付けた状態を示す概略正面図および平面図、図２は同スピーカ取付装置の一部を破断して示す側面図、図３（ａ）、（ｂ）、（ｃ）はスピーカスタンドの平面図、一部を破断して示す側面図および正面図、図４は図３のＩＶ−ＩＶ線断面図、図５（ａ）、（ｂ）は角度調整機構の組立手順を説明するための図、図６（ａ）、（ｂ）、（ｃ）はスピーカブラケットの正面図、側面図およびＡ−Ａ線拡大断面図である。図１〜図３において、全体を符号２０で示すスピーカ取付装置は、スピーカ３を角度調整自在に保持するスピーカスタンド２１と、このスピーカスタンド２１を引出し自在に保持するスピーカブラケット２２とを備えている。
【００１１】
前記スピーカ３は、箱型に形成されたスピーカボックス本体３Ａと、このスピーカボックス本体３Ａの前面側開口部を覆うスピーカグリル３Ｂと、スピーカボックス本体３Ａ内に収納された図示しないラウドスピーカ等を備えている。スピーカボックス本体３Ａは、合成樹脂によってそれぞれ形成されたアッパーケース２６およびロアーケース２７とからなり、これらケースを複数個のねじ２８によって一体的に結合している。
【００１２】
図３〜図５において、前記スピーカスタンド２１は、合成樹脂によって一体に形成されることにより、略平板状に形成されたスタンドプレート２３と、このスタンドプレート２３に対してスピーカ３を角度調整自在に取付けるスピーカ取付部材３７とで構成されている。
【００１３】
スタンドプレート２３は、平面形状がほぼ台形状とされることにより前端側の幅が最大で後端側に向かって暫時減少し、下面が前記スピーカボックス本体３Ａの載置面３４を形成している。スタンドプレート２３の後端部上面両側部には、２つの軸受部２３Ｂ，２３Ｂが一体に対設され、これら軸受部２３Ｂに回動軸２９の各端部を軸支する軸受３０が嵌合されている。スタンドプレート２３の下面、すなわち載置面３４の前端部寄りの幅方向中央部には、スタンドプレート２３を前記スピーカブラケット２２に対して位置決め係止するための凹部３５が形成されている。この凹部３５は、スタンドプレート２３の上下面に貫通する貫通孔または上面に開放しない不貫通孔のいずれであってもよく、本実施の形態においては貫通孔によって凹部３５を形成した例を示す。スタンドプレート２３の両側面は、外側に凸となるよう大きな曲率で円弧状に湾曲し、その上部がスタンドプレート２３の中心方向に傾斜するテーパ部３６を形成している。
【００１４】
前記２つの軸受部２３Ｂは、軸線を一致させて左右方向に開放する筒状体に形成され、前記回動軸２９、前記軸受３０、スピーカ３に固定されるスピーカ取付部材３７等とともにスピーカ３の角度調整機構４０を構成している。また、軸受部２３Ｂは、外側開口部が大径で、内側開口部が小径の異径穴を有し、外側開口部が回動軸２９を取付けた後にカバー４１によって覆われる。
【００１５】
前記回動軸２９はボルトからなり、前記軸受部２３Ｂに前記軸受３０、ばね座金４２、平座金４３を介して挿通され、ナット４４が螺合されることにより抜けを防止される。また、このナット４４を締付けて前記２つの軸受部２３Ｂの間隔を狭め軸受３０をスピーカ取付部材３７の円筒部３７Ａに押し付けると、これら両部材間の摩擦力が増大しスピーカ３を任意の角度に設定保持することができる。このスピーカ取付部材３７の回動角度は図３（ｂ）に示すように９０度で、前方に最大角度回動されるとスタンドプレート２３と平行になり、後方に最大角度回動されるとスタンドプレート２３に対して垂直な状態となる。ただし、スピーカ取付部材３７の回動角度は、９０°に限らず、任意に設定することができる。前記軸受３０は筒状体に形成され、軸受部２３Ｂの内側開口部に嵌合される。
【００１６】
前記スピーカ取付部材３７は、前記回動軸２９が挿通される前記円筒部３７Ａと、この円筒部３７Ａの外周に一体に突設された板状の固定部３７Ｂとからなり、この固定部３７Ｂが前記スピーカボックス本体３Ａの下面後端部に１本のねじ４５（図２参照）によって固定される。したがって、スピーカ３のスピーカスタンド２１への取付け、取外し作業は容易である。
【００１７】
前記角度調整機構４０を組立てるには、図５（ａ）に示すように先ず軸受３０を各軸受部２３Ｂに嵌合し、しかる後スピーカ取付部材３７の円筒部３７Ａを２つの軸受３０間に差込む。次いで、図５（ｂ）に示すように回動軸２９を軸受部２３Ｂ、軸受３０および円筒部３７Ａにばね座金４２、平座金４３を介して挿通してナット４４を螺合し、軸受３０と円筒部３７Ａ間の摩擦力を所望の値に設定すると組立を完了する。その後、カバー４１を図４に示すように軸受部２３Ｂの外側開口部に嵌合するとともに、スピーカ取付部材３７の固定部３７Ｂにスピーカボックス本体３Ａをねじ４５で固定すると、スピーカ３をスピーカスタンド２１に取付けることができる。
【００１８】
図６において、前記スピーカブラケット２２は、スピーカ３をモニター２に外付けするときに用いられるもので、合成樹脂によって正面視Ｌ字状に形成されることにより、互いに直交する固定部２２Ａとスタンド取付部２２Ｂとからなり、スタンド取付部２２Ｂの表面側には前記スピーカスタンド２１のスタンドプレート２３をスピーカブラケット２２の前方へ引出し自在に固定保持するスタンド保持部５０が設けられている。固定部２２Ａとスタンド取付部２２Ｂは、いずれも板状に形成されている。固定部２２Ａは、スピーカ３をモニター２の側面に外付けする際、モニター２の上面に図示しない両面粘着テープによって固定される。このときスタンド取付部２２Ｂはモニター２の側面に同じく両面粘着テープによって固定される。一方、スピーカ３をモニター２の上面に外付けするときは、固定部２２Ａをモニター２の側面に両面粘着テープによって固定し、スタンド取付部２２Ｂをモニター２の上面に同じく両面粘着テープによって固定すればよい。なお、両面粘着テープによるスピーカブラケット２２の固定は、固定部２２Ａとスタンド取付部２２Ｂの両方に限らず、確実な固定が得られる場合はいずれか一方のみを固定してもよい。
【００１９】
前記スタンド保持部５０は、スタンド取付部２２Ｂの表面側で幅方向に互いに対向して突設され前端側が広く後端側に向かって漸次幅が減少する２つの突状部５２，５２と、これらの突状部５２間に形成されスピーカスタンド２１のスタンドプレート２３が引出し自在に挿入されるスタンド用溝５３とで構成され、各突状部５２の互いに対向する内面に前記スタンドプレート２３の両側面が密接するようになっている。そのため、突状部５２の内面は、スタンドプレート２３の側面と略同一の曲率で外側に凸となるよう湾曲し、かつ上端部が前記スタンドプレート２３のテーパ部３６（図３（ｃ）参照）と略同一の傾斜角度で内側に傾斜する斜面５４を形成し、これによってスタンドプレート２３がスタンド保持部５０からスタンド取付部２２Ｂの板厚方向へ抜け出すのを阻止している。また、スタンド取付部２２Ｂの表面前端部寄りには、前記スタンドプレート２３の下面側に設けた凹部３５（図３（ｂ）参照）に対応して凸部５５が一体に突設されている。なお、５６は突状部５２を形成するための金型の抜き穴である。
【００２０】
このようなスピーカ取付装置２０において、スピーカ３をテーブル上に角度調整自在に設置して用いるときは、スピーカブラケット２２を必要とせず、スピーカスタンド２１をテーブル上に直接載置すればよい。この状態において、スピーカ３は、角度調整機構４０によって水平な状態から垂直な状態まで、９０°の角度範囲内で自由に調整される。
【００２１】
一方、モニター２の側面に外付けするときは、スピーカブラケット２２をモニター２の上側角部に掛け止めして固定部２２Ａをモニター２の上面に両面粘着テープによって固定するとともにスタンド取付部２２Ｂをモニター２の側面に同じく両面粘着テープによって固定する。ただし、確実な固定が得られる場合は、固定部２２Ａまたはスタンド取付部２２Ｂのみを両面粘着テープによって固定すればよい。次に、スピーカスタンド２１のスタンドプレート２３をスタンド保持部５０にスピーカブラケット２２の前方（もしくは側方）から差し込んでスタンドプレート２３の下面３４をスタンド用溝５３の底面に密接させ、この状態でスタンドプレート２３をスタンド用溝５３の底面に沿って後方に移動させてスタンドプレート２１Ｂの両側面を楔作用によって各突状部５２に食い込ませ、スタンドプレート２３のテーパ部３６を突状部５２の斜面５４に密接させる。このとき、凸部５５が凹部３５に係合してスタンドプレート２３をスタンド取付部２２Ｂに位置決め係止する。また、凸部５５と凹部３５の係合によってクリック感がスピーカ３を保持している手に感じられ、スタンドプレート２３がスタンド保持部５０の所定位置に取付けられたことを知らせる。この結果、スタンド保持部５０によってスタンドプレート２３を安定かつ確実に固定保持することができ、スタンドプレート２３がスタンド保持部５０から脱落するのを防止することができる。図１はこの状態を示す。この状態において、スピーカ３の取付角度は、角度調整機構４０によってモニター２の側方に略９０°の範囲内で自由に調整される。
【００２２】
スタンドプレート２３をスタンド保持部５０に対してモニター２の側方から取付ける場合は、スタンドプレート２３をスタンド保持部５０より少し前方にずらし、この状態でスタンドプレート２３を２つの突状部５２間に差し込んでスタンドプレート２３の下面３４をスタンド用溝５３の底面に密接し、しかる後スタンドプレート２３を後方に移動させてスタンドプレート２３の両側面を上記したと同様に突状部５２の内面に楔作用によって押し付ければよい。側方からの取付けは、スタンドプレート２３の平面形状を前端側が広く後端側に向かって漸次幅が減少するように形成したことと、これに伴い突条部５２を同じく前端側が広く後端側に向かって漸次幅が減少するように形成したことにより可能とされる。
【００２３】
このようなスピーカ取付装置２０においては、スピーカスタンド２１をスピーカブラケット２２に対して前方もしくは側方から引出し自在に取付けることができるので、スピーカスタンド２１の取付け、取外し作業が容易である。また、スタンド保持部５０は楔効果を利用してスタンドプレート２３を固定保持するとともに、凹部３５と凸部５５によってスタンドプレート２３を位置決め係止しているので、スピーカスタンド２１を安定な状態で固定保持することができ、振動、衝撃等によってスタンド保持部５０から脱落するおそれがない。さらに、角度調整機構４０を備えているので、テーブル上に載置して使用する場合はもとよりモニター２に外付けして用いる場合においてもスピーカ３の取付角度を自由に変えることができる。さらに、スピーカ取付装置２０の構成も簡単である。加えて、スピーカ３のスピーカスタンド２１への取付けも、１本のねじ４５で行えるので容易である。
【００２４】
なお、上記した実施の形態においては、スピーカ３をモニター２の側面に外付けした例を示したが、本発明はこれに特定されることなく、スピーカ３をモニター２の上面側に設置することも可能である。その場合は、上記した通り固定部２２Ａを垂直にしてスピーカブラケット２２をモニター２の上側角部に掛け止め、固定部２２Ａとスタンド取付部２２Ｂもしくはいずれか一方を両面粘着テープによってモニター２に固定すればよい。
また、上記実施の形態においては、スタンドプレート２３の両側面と突状部５２を、前端側が広く後端側に向かって幅が狭くなるように外側に凸状に湾曲させて楔効果を得るようにした例を示したが、これに限らずテーパ状に形成しても同じ楔効果を得ることができる。また、スタンドプレート２３の両側面は、必ずしも左右対称でなくてもよい。
また、上記実施の形態においては、スピーカスタンド２１側に位置決め用の凹部３５を形成し、スピーカブラケット２２側に位置決め用の凸部５５を突設した例を示したが、この逆であってもよい。ただし、スピーカスタンド２１の下面３４に凸部５５を形成する場合は、スピーカスタンド２１をテーブル上に載置して用いる際の安定性を考慮して３つまたは４つ設けることが好ましい。また、凹部３５と凸部５５の形成位置としては、スタンドプレート２３の側面と突状部５２の内面であってもよい。
また、角度調整機構４０は、スピーカスタンド２１の後端側に限らず前端側に設けてもよい。また、無段階に角度調整可能な摩擦式のものに限らず、チルト機構を用いて段階的に角度調整し得るようにしたものであってもよい。
さらに、上記実施の形態においては、ＰＣのモニター２に外付けする例を示したが、モニター相当の機器であってもよい。
【００２５】
【発明の効果】
以上説明したように、本発明に係るスピーカ取付装置によれば、テーブル上に載置して使用する場合はもとよりＰＣのモニター等に外付けして用いる場合であってもスピーカの取付角度を自由に変更することができる。特に、テーブル上に載置して使用する場合は、載置面でスピーカボックス本体を水平に支持することができる。
【図面の簡単な説明】
【図１】  （ａ）、（ｂ）は本発明に係るスピーカ取付装置を用いてスピーカをモニターの側面に取付けた状態を示す概略正面図および平面図である。
【図２】  同スピーカ取付装置の一部を破断して示す側面図である。
【図３】  （ａ）、（ｂ）、（ｃ）はスピーカスタンドの平面図、一部を破断して示す側面図および正面図である。
【図４】  図３のＩＶ−ＩＶ線断面図である。
【図５】  （ａ）、（ｂ）は角度調整機構の組立手順を説明するための図である。
【図６】  （ａ）、（ｂ）、（ｃ）はスピーカブラケットの正面図、側面図およびＡ−Ａ線拡大断面図である。
【図７】  （ａ）、（ｂ）はスピーカの従来の取付構造を示す正面図および分解斜視図である。
【図８】  角度調整自在なスピーカスタンドを示す側面図である。
【符号の説明】
１…パーソナルコンピュータ、２…モニター、３…スピーカ、３Ａ…スピーカボックス本体、４…ブラケット、８…スピーカスタンド、２０…スピーカ取付装置、２１…スピーカスタンド、２２…スピーカブラケット、２２Ａ…固定部、２２Ｂ…スタンド取付部、２３…スタンドプレート、２３Ｂ…軸受部、２９…回動軸、３４…載置面、３５…凹部、３６…テーパ部、３７…スピーカ取付部材、４０…角度調整機構、５０…スタンド保持部、５２…突状部、５３…スタンド用溝、５４…斜面、５５…凸部。
【図１】
0003801048.tif 000002
【図２】
0003801048.tif 000003
【図３】
0003801048.tif 000004
【図４】
0003801048.tif 000005
【図５】
0003801048.tif 000006
【図６】
0003801048.tif 000007
【図７】
0003801048.tif 000008
【図８】
0003801048.tif 000009